(57)【要約】【課題】表示部および表示部保持部材の取付作業を簡素化することが可能で、かつ、表示部において発生する静電気を逃がすことが可能な画像形成装置を提供する。【解決手段】この昇華型プリンタ（画像形成装置）は、印字ヘッド２を含む装置本体１００と、印字ヘッド２を制御するための制御用ＩＣ１６を含む配線基板１４と、液晶ディスプレイ９０と、液晶ディスプレイ９０が収納されることにより液晶ディスプレイ９０を固定可能に構成されている収納部１７ｂと、配線基板１４に固定する係合フック部１７ｃを一体的に含む液晶ディスプレイ保持部材１７と、液晶ディスプレイ保持部材１７に、液晶ディスプレイ９０に接続するように設けられ、装置本体１００の導電性部分に電気的に接続されている導電性の接地部材１５とを備える。【選択図】図１
2008265008.tif 000002
【特許請求の範囲】
【請求項１】
印字ヘッドを含む装置本体と、
前記印字ヘッドを制御するための制御部を含む配線基板と、
表示部と、
前記表示部が収納されることにより前記表示部を固定可能に構成されている収納部と前記配線基板に固定する係合部とを一体的に含む表示部保持部材と、
前記表示部保持部材に、前記表示部に接触するように設けられ、前記装置本体の導電性部分に電気的に接続されている導電性の接地部材とを備える、画像形成装置。
【請求項２】
前記配線基板は、前記表示部保持部材の係合部が係合される係合孔を含み、
前記係合部は、前記係合孔よりも大きい先端部を有するとともに、前記係合孔への挿入時に前記先端部の大きさが小さくなるように撓み変形可能に構成されている、請求項１に記載の画像形成装置。
【請求項３】
前記表示部保持部材の係合部は、前記配線基板の表面に対して垂直方向に前記表示部保持部材が移動するのを抑制する移動規制部を含む、請求項２に記載の画像形成装置。
【請求項４】
前記表示部を前記収納部の内側面の一方側に向かって付勢するように前記収納部の他方側に設けられ、前記表示部が前記表示部の表示面に対して垂直な方向に移動するのを抑制する第１フック部をさらに備える、請求項１〜３のいずれか１項に記載の画像形成装置。
【請求項５】
前記収納部の一方側に設けられ、前記表示部が前記表示部の表示面に対して垂直な方向に移動するのを抑制する第２フック部をさらに備える、請求項４に記載の画像形成装置。
【請求項６】
前記装置本体は、前記印字ヘッドが配置されている導電性のシャーシと、前記シャーシの上部に前記シャーシと電気的に接続するように取り付けられている導電性のカバー部材とを含み、
前記接地部材は、前記カバー部材を介して前記シャーシに電気的に接続されている、請求項１〜５のいずれか１項に記載の画像形成装置。
【発明の詳細な説明】
【技術分野】
【０００１】
この発明は、画像形成装置に関し、特に、表示部を保持する表示部保持部材を備えた画像形成装置に関する。
【背景技術】
【０００２】
従来、表示部を保持する表示部保持部材を備えた電子機器（画像形成装置）などが知られている（たとえば、特許文献１〜５参照）。
【０００３】
上記特許文献１には、液晶ディスプレイユニット（表示部）が収納される液晶ディスプレイホルダ（表示部保持部材）が開示されている。この液晶ディスプレイホルダは、液晶ディスプレイユニットの側部を囲む枠体と平板状の底板部とにより構成されている。また、液晶ディスプレイホルダには、収納されている液晶ディスプレイユニットを、液晶ディスプレイホルダの枠体の一方側に押圧する押圧部材が設けられている。この押圧部材は、金属バネにより構成されており、液晶ディスプレイユニットの静電気を逃がすように構成されている。
【０００４】
また、上記特許文献２には、ＬＣＤ部（表示部）が配置される樹脂製のＬＣＤホルダー（表示部保持部材）が開示されている。ＬＣＤホルダーには、ＬＣＤ部の側部を囲む内壁部、ＬＣＤ部を保持するための爪部および押当部が形成されている。
【０００５】
また、上記特許文献３には、カラー液晶表示部（表示部）が嵌め込まれるように配置されるカラー液晶表示部保持部材（表示部保持部材）を備えた電子的撮像装置が開示されている。カラー液晶表示部保持部材は、樹脂などの絶縁材料により形成されており、カラー液晶表示部がカラー液晶表示部保持部材から外れるのを抑制する先端爪を有する。
【０００６】
また、上記特許文献４には、平面表示装置（表示部）と、平面表示装置を保持する導電性の保持板（表示部保持部材）と、保持板が取り付けられる筐体（装置本体）とを備えた電子機器が開示されている。保持板は、４つのねじにより、筐体に固定されている。また、保持板は、筐体の裏面に電気的に接続されており、平面表示装置の静電気を筐体に逃がすように構成されている。
【０００７】
また、上記特許文献５には、液晶パネル（表示部）と、液晶パネルが固定される枠体（表示部保持部材）とを備えた液晶表示装置が開示されている。この液晶パネルは、枠体の所定の部分に位置決めされた後、接着剤により枠体に固定されている。
【０００８】
【特許文献１】特開２００２−７２９１２号公報
【特許文献２】特開２００７−３５７０号公報
【特許文献３】特開平１０−３３６４９３号公報
【特許文献４】特許第３１９０６２６号公報
【特許文献５】特開２００３−１４９６２９号公報
【発明の開示】
【発明が解決しようとする課題】
【０００９】
しかしながら、上記特許文献１に記載の液晶ディスプレイホルダ（表示部保持部材）では、液晶ディスプレイホルダを所定の電子機器に取り付けるための取付部分が開示されていないので、液晶ディスプレイホルダを所定の電子機器に取り付けるための作業を行う際に、液晶ディスプレイホルダに穴あけ加工を施すなど、液晶ディスプレイホルダを取り付けるための加工工程が別途必要になると考えられる。このため、液晶ディスプレイホルダの取付作業が煩雑になるという問題点があると考えられる。
【００１０】
また、上記特許文献２に記載のＬＣＤホルダー（表示部保持部材）では、ＬＣＤホルダーが樹脂製であるため、ＬＣＤ部（表示部）により発生する静電気をＬＣＤホルダーから逃がすのが困難であるという問題点がある。
【００１１】
また、上記特許文献３に記載の電子的撮像装置では、カラー液晶表示部保持部材（表示部保持部材）が樹脂などの絶縁材料により形成されているため、カラー液晶表示部（表示部）により発生する静電気をカラー液晶表示部保持部材から逃がすのが困難であるという問題点がある。
【００１２】
また、上記特許文献４に記載の電子機器では、保持板（表示部保持部材）を４つのねじにより筐体（装置本体）に固定する必要があるため、保持板を筐体に固定する際の取付作業が煩雑になるという問題点がある。
【００１３】
また、上記特許文献５に記載の液晶表示装置では、液晶パネル（表示部）を、接着剤を用いて枠体（表示部保持部材）に固定する際に、液晶パネルを枠体の所定の部分に位置決めする必要があるとともに、位置決めされた液晶パネルに接着剤を塗布する作業の必要がある。このため、液晶パネルを枠体に固定する際の取付作業が煩雑になるという問題点がある。
【００１４】
この発明は、上記のような課題を解決するためになされたものであり、この発明の１つの目的は、表示部および表示部保持部材の取付作業を簡素化することが可能で、かつ、表示部において発生する静電気を逃がすことが可能な画像形成装置を提供することである。
【課題を解決するための手段および発明の効果】
【００１５】
この発明の一の局面による画像形成装置は、印字ヘッドを含む装置本体と、印字ヘッドを制御するための制御部を含む配線基板と、表示部と、表示部が収納されることにより表示部を固定可能に構成されている収納部と配線基板に固定する係合部とを一体的に含む表示部保持部材と、表示部保持部材に、表示部に接触するように設けられ、装置本体の導電性部分に電気的に接続されている導電性の接地部材とを備える。
【００１６】
この一の局面による画像形成装置では、上記のように、表示部が収納されることにより表示部を固定可能に構成されている収納部を設けることによって、表示部の取付作業を簡素化することができる。また、表示部保持部材を配線基板に固定する係合部を設けることによって、係合部を配線基板に固定するだけで表示部保持部材を配線基板に固定することができるので、表示部保持部材の取付作業を簡素化することができる。また、表示部保持部材に、装置本体の導電性部分に電気的に接続されている導電性の接地部材を表示部に接触するように設けることによって、表示部において発生する静電気を、接地部材を介して装置本体の導電性部分に逃がすことができる。
【００１７】
上記一の局面による画像形成装置において、好ましくは、配線基板は、表示部保持部材の係合部が係合される係合孔を含み、係合部は、係合孔よりも大きい先端部を有するとともに、係合孔への挿入時に先端部の大きさが小さくなるように撓み変形可能に構成されている。このように構成すれば、係合部の先端部が係合孔よりも大きい場合にも、容易に、係合部を係合孔に挿入することができる。
【００１８】
この場合において、好ましくは、表示部保持部材の係合部は、配線基板の表面に対して垂直方向に表示部保持部材が移動するのを抑制する移動規制部を含む。このように構成すれば、係合部が係合孔に挿入された後、係合部が係合孔から外れるのを抑制することができる。
【００１９】
上記一の局面による画像形成装置において、好ましくは、表示部を収納部の内側面の一方側に向かって付勢するように収納部の他方側に設けられ、表示部が表示部の表示面に対して垂直な方向に移動するのを抑制する第１フック部をさらに備える。このように構成すれば、表示部を、容易に、収納部の内側面の一方側とは反対方向側に移動するのを抑制することができるとともに、表示部の表示面に対して垂直な方向に移動するのを抑制することができる。
【００２０】
この場合において、好ましくは、収納部の一方側に設けられ、表示部が表示部の表示面に対して垂直な方向に移動するのを抑制する第２フック部をさらに備える。このように構成すれば、第１フック部および第２フック部により、表示部を、収納部の一方側および他方側の両方で、表示部の表示面に対して垂直な方向に移動するのを抑制することができるので、表示部が表示部保持部材の収納部から外れるのを抑制することができる。
【００２１】
上記一の局面による画像形成装置において、好ましくは、装置本体は、印字ヘッドが配置されている導電性のシャーシと、シャーシの上部にシャーシと電気的に接続するように取り付けられている導電性のカバー部材とを含み、接地部材は、カバー部材を介してシャーシに電気的に接続されている。このように構成すれば、表示部において発生する静電気を、接地部材およびカバー部材を介して、接地部材およびカバー部材と比べて大きな表面積を有するシャーシに逃がすことができる。
【発明を実施するための最良の形態】
【００２２】
以下、本発明を具体化した実施形態を図面に基づいて説明する。
【００２３】
図１は、本発明の一実施形態による昇華型プリンタの全体構成を示した分解斜視図である。図２は、図１に示した本発明の一実施形態による昇華型プリンタの内部構造を示した断面図である。図３〜図８は、図１に示した本発明の一実施形態による昇華型プリンタの詳細を説明するための図である。まず、図１〜図８を参照して、本発明の一実施形態による昇華型プリンタの構造について説明する。なお、本実施形態では、画像形成装置の一例である昇華型プリンタに本発明を適用した場合について説明する。
【００２４】
本発明の一実施形態による昇華型プリンタの装置本体１００は、図１に示すように、金属製のシャーシ１と、印字を行うための印字ヘッド２と、印字ヘッド２に対向するように配置されたプラテンローラ３（図２参照）と、金属製の送りローラ４（図２参照）と、所定の押圧力で送りローラ４を押圧する金属製の押さえローラ５（図２参照）と、樹脂製の下部用紙ガイド６および樹脂製の上部用紙ガイド７（図２参照）と、ゴム製の給紙ローラ８と、ゴム製の排紙ローラ９と、後述するインクシート５１が収納されたインクシートカートリッジ５０（図２参照）を支持するカートリッジ支持部１０と、シャーシ１の上部に配置される金属製のカバー部材１１とを備えている。また、本実施形態による昇華型プリンタの装置本体１００は、インクシートカートリッジ５０（図２参照）と、装置本体１００に供給する用紙６０を収納するための給紙カセット７０とが着脱可能に構成されている。
【００２５】
シャーシ１は、図１に示すように、互いに対向するように配置された一方側面１ａと、他方側面１ｂと、底面１ｃとを含んでいる。また、シャーシ１の一方側面１ａには、印字ヘッド２などを駆動する図示しないモータおよび図示しない複数のギアが配置されているモータブラケット１２が取り付けられている。また、シャーシ１の一方側面１ａに対向する他方側面１ｂには、インクシートカートリッジ５０（図２参照）を挿入するためのカートリッジ挿入孔１ｄが設けられている。また、一方側面１ａおよび他方側面１ｂの上部には、カバー部材１１を取り付けるための取付部１ｅが設けられている。また、一方側面１ａ側の取付部１ｅには、ねじ孔１ｆが形成されているとともに、他方側面１ｂ側の取付部１ｅには、それぞれ、ねじ孔１ｇが形成されている。
【００２６】
また、プラテンローラ軸受３ａは、それぞれ、シャーシ１の一方側面１ａおよび他方側面１ｂに取り付けられているとともに、プラテンローラ３（図２参照）を回動可能に支持するように構成されている。また、送りローラ４は、シャーシ１に取り付けられた図示しない送りローラ軸受に回動可能に支持されるように構成されている。また、押さえローラ５（図２参照）は、図示しない押さえローラ軸受に回動可能に支持されるように構成されている。また、送りローラ４および押さえローラ５は、図２に示すように、用紙６０を間に挟んだ状態で回動することにより、用紙６０を給紙方向（矢印Ｔ１方向）または排紙方向（矢印Ｕ１方向）に搬送する機能を有する。また、給紙ローラ８は、Ａ１方向に回転することによって、給紙カセット７０（図１参照）に収納された用紙６０をシャーシ１の内部に搬送するように構成されている。また、排紙ローラ９は、Ａ２方向に回転することによって、印刷終了後の用紙６０をシャーシ１の外部に搬送するように構成されている。
【００２７】
また、印字ヘッド２は、図１および図２に示すように、支持軸２ａと、プラテンローラ３（図２参照）に対向するように配置されたヘッド部２ｂと、支持軸２ａとヘッド部２ｂとを連結する一対のアーム部２ｃと、印刷時にヘッド部２ｂの熱を放熱するためのアルミニウム製の放熱部２ｄ（図１参照）と、ヘッド部２ｂの下面に突出するように設けられた印字部２ｅ（図２参照）とを含んでいる。また、図２に示すように、ヘッド部２ｂの印字部２ｅの内部には、ヘッド部２ｂの幅方向に沿って複数の発熱体１３が埋め込まれている。また、印字ヘッド２は、シャーシ１の一方側面１ａ（図１参照）および他方側面１ｂ（図１参照）の内面側にそれぞれ取り付けられた一対の支持軸２ａを中心として、上下方向に回動可能に配置されている。
【００２８】
また、下部用紙ガイド６は、送りローラ４および押さえローラ５の近傍に設置されている。また、上部用紙ガイド７は、下部用紙ガイド６の上部に取り付けられている。この上部用紙ガイド７は、給紙時には、用紙６０が下面側を通過するようにして印刷部への給紙経路に案内するとともに、排紙時には、用紙６０が上面側を通過するようにして排紙経路に案内することが可能なように構成されている。
【００２９】
また、カートリッジ支持部１０には、インクシートカートリッジ５０がカートリッジ挿入孔１ｄ（図１参照）から挿入されることにより装着されている。インクシートカートリッジ５０は、インクシート５１を供給するための供給ボビン５２と、供給されたインクシート５１を矢印Ａ３方向に巻き取るための巻取ボビン５３とを備えている。また、インクシートカートリッジ５０を構成するカートリッジケース５４は、供給ボビン５２を回動可能に収納する供給ボビン収納部５４ａと、巻取ボビン５３を回動可能に収納する巻取ボビン収納部５４ｂと、供給ボビン収納部５４ａおよび巻取ボビン収納部５４ｂを所定の距離を隔てて連結する一対の連結部５４ｃとにより構成されている。これにより、供給ボビン収納部５４ａおよび巻取ボビン収納部５４ｂに、それぞれ、供給ボビン５２および巻取ボビン５３が収納されると、供給ボビン５２および巻取ボビン５３に巻き付けられたインクシート５１は、供給ボビン収納部５４ａと巻取ボビン収納部５４ｂとの所定の距離の間で、外部に露出された状態となる。また、インクシート５１は、Ｙ色（イエロー色）インクシート、Ｍ色（マゼンダ）インクシートおよびＣ色（シアン色）インクシートの３色のインクシートが順に繋げられて構成されている。
【００３０】
また、金属製のカバー部材１１は、図１に示すように、シャーシ１の上部に取り付けられている。具体的には、カバー部材１１には、１つのねじ挿入孔１１ａ（図４参照）および２つのねじ挿入孔１１ｂが形成されている。ねじ挿入孔１１ａには、図１および図４に示すように、ねじ８０が挿入されており、ねじ８０は、後述する配線基板１４と共に一方側面１ａの取付部１ｅのねじ孔１ｆに締め付けられている。また、２つのねじ挿入孔１１ｂには、それぞれ、ねじ８１が挿入されており、ねじ８１は、それぞれ、他方側面１ｂの取付部１ｅのねじ孔１ｇに締め付けられている。これにより、金属製のカバー部材１１を、金属製のシャーシ１に対して電気的に接続することが可能となる。
【００３１】
また、カバー部材１１の上方には、図３および図４に示すように、樹脂製の配線基板１４が配置されている。この配線基板１４には、図４に示すように、ねじ挿入孔１４ａ、ねじ挿入孔１４ｂおよびねじ挿入孔１４ｃが形成されている。ねじ挿入孔１４ａには、上記したねじ８０が挿入されており、ねじ８０は、カバー部材１１のねじ挿入孔１１ａを介して一方側面１ａの取付部１ｅのねじ孔１ｆ（図１参照）に締め付けられている。また、ねじ挿入孔１４ｂには、ねじ８２が挿入されており、ねじ８２は、カバー部材１１のねじ孔１１ｃに締め付けられている。また、ねじ挿入孔１４ｃには、ねじ８３が挿入されており、ねじ８３は、後述する接地部材１５と共にカバー部材１１のねじ孔１１ｄに締め付けられている。また、配線基板１４には、印字ヘッド２および印字ヘッド２を動作させる図示しないモータなどを制御する制御用ＩＣ１６が配置されているとともに、後述する液晶ディスプレイ保持部材１７の係合フック部１７ｃ（図８参照）が挿入される複数の係合孔部１４ｄが設けられている。なお、係合孔部１４ｄは、本発明の「係合孔」の一例であり、制御用ＩＣ１６は、本発明の「制御部」の一例である。
【００３２】
また、配線基板１４には、図３に示すように、液晶ディスプレイ９０のフレキシブルケーブル９１が接続されている。なお、液晶ディスプレイ９０は、本発明の「表示部」の一例である。液晶ディスプレイ９０は、上記したフレキシブルケーブル９１と、表示面９２と、表示面９２を囲むように形成された金属製のフレーム部９３とを含んでいる。また、液晶ディスプレイ９０は、図３および図５に示すように、液晶ディスプレイ保持部材１７に保持された状態で配線基板１４に固定されている。なお、液晶ディスプレイ保持部材１７は、本発明の「表示部保持部材」の一例である。
【００３３】
ここで、本実施形態では、液晶ディスプレイ保持部材１７には、液晶ディスプレイ９０において発生する静電気を、カバー部材１１を介してシャーシ１に逃がすための金属製の接地部材１５が設けられている。この接地部材１５は、図６および図７に示すように、板金により構成されており、一対の接地部材取付部１７ａに取り付けられている。これら一対の接地部材取付部１７ａは、液晶ディスプレイ保持部材１７の矢印Ｘ１方向側の端部に形成されているとともに、矢印Ｚ１方向に延びるように形成されており、それぞれ、接地部材１５の係合孔部１５ａおよび挿入孔部１５ｂに挿入されている。また、接地部材１５の係合孔部１５ａには、接地部材取付部１７ａに付勢するように形成された板バネ部１５ｃが設けられている。これにより、係合孔部１５ａから接地部材取付部１７ａが抜けるのを抑制することが可能となる。
【００３４】
また、本実施形態では、接地部材１５には、液晶ディスプレイ９０のフレーム部９３の矢印Ｘ１方向側を矢印Ｘ２方向に付勢する押圧部１５ｄが設けられている。この押圧部１５ｄは、板バネ状に構成されており、液晶ディスプレイ９０と接地部材１５とを電気的に接続可能に構成されている。
【００３５】
また、本実施形態では、接地部材１５には、ねじ挿入孔１５ｅが設けられている。このねじ挿入孔１５ｅには、図５に示すように、上記したねじ８３が挿入されており、ねじ８３は、配線基板１４のねじ挿入孔１４ｃを介してカバー部材１１のねじ孔１１ｄに締め付けられている。つまり、接地部材１５とカバー部材１１とは、ねじ８３を介して電気的に接続されている。これにより、液晶ディスプレイ９０において発生する静電気を、接地部材１５、ねじ８３およびカバー部材１１を介してシャーシ１に逃がすことが可能となる。
【００３６】
また、本実施形態では、液晶ディスプレイ保持部材１７は、樹脂からなるとともに、図５〜図７に示すように、上記した接地部材１５が取り付けられる接地部材取付部１７ａと、液晶ディスプレイ９０（図５参照）が収納される収納部１７ｂと、液晶ディスプレイ保持部材１７を配線基板１４に固定するための複数（本実施形態では３つ）の係合フック部１７ｃとを一体的に含んでいる。なお、係合フック部１７ｃは、本発明の「係合部」の一例である。
【００３７】
また、本実施形態では、液晶ディスプレイ保持部材１７の収納部１７ｂは、図５および図６に示すように、液晶ディスプレイ９０のフレーム部９３（図５参照）の外側面を囲むように設けられた側面部１７ｄと、収納部１７ｂのＹ１方向に設けられている一対の係合爪部１７ｅと、矢印Ｙ２方向側の側面部１７ｄの上部（矢印Ｚ１方向部分）から矢印Ｙ１方向に突出するように設けられている一対の突出部１７ｆと、矢印Ｙ２方向側の側面部１７ｄの下部（矢印Ｚ２方向部分）から矢印Ｙ１方向に突出するように設けられている一対のリブ部１７ｇと、矢印Ｘ２方向側の側面部１７ｄの下部（矢印Ｚ２方向部分）から矢印Ｘ１方向に突出するように設けられている２つの受け部１７ｈとを一体的に含んでいる。なお、側面部１７ｄは、本発明の「内側面」の一例であり、係合爪部１７ｅは、本発明の「第１フック部」の一例である。また、突出部１７ｆは、本発明の「第２フック部」の一例である。
【００３８】
側面部１７ｄは、液晶ディスプレイ保持部材１７と一体的に形成されているとともに、矢印Ｚ１方向に突出するように構成されている。また、側面部１７ｄの矢印Ｙ１方向側の一対の係合爪部１７ｅと対向する部分には、それぞれ、逃げ部１７ｉが設けられている。この逃げ部１７ｉは、液晶ディスプレイ９０が収納部１７ｂに挿入される際に、係合爪部１７ｅが矢印Ｙ１方向に撓んで側面部１７ｄに接触するのを抑制する機能を有する。また、側面部１７ｄの矢印Ｘ１方向側には、切欠部１７ｊが設けられている。
【００３９】
また、本実施形態では、一対の係合爪部１７ｅは、矢印Ｚ１方向に突出するように形成されている。これら一対の係合爪部１７ｅは、液晶ディスプレイ９０のフレーム部９３（図５参照）の矢印Ｙ１方向側を矢印Ｙ２方向側に付勢するように構成されているとともに、矢印Ｙ１方向に撓み可能に構成されている。また、一対の係合爪部１７ｅの上部には、図６に示すように、液晶ディスプレイ９０が矢印Ｚ１方向（表示面９２に対して垂直な方向）に移動するのを抑制する面部１７ｋが形成されている。
【００４０】
また、本実施形態では、一対の突出部１７ｆは、液晶ディスプレイ９０のフレーム部９３（図５参照）の矢印Ｙ２方向側の上面を矢印Ｚ２方向側に付勢するように構成されているとともに、矢印Ｚ１方向に撓み可能に構成されている。すなわち、一対の突出部１７ｆは、液晶ディスプレイ９０が矢印Ｚ１方向（表示面９２に対して垂直な方向）に移動するのを抑制する機能を有する。これら一対の突出部１７ｆおよび一対の係合爪部１７ｅの面部１７ｋにより、液晶ディスプレイ９０が矢印Ｚ１方向に移動して外れるのを抑制することが可能となる。
【００４１】
また、一対のリブ部１７ｇは、液晶ディスプレイ９０のフレーム部９３（図５参照）の矢印Ｙ２方向側の面と当接可能に構成されている。具体的には、一対のリブ部１７ｇは、一対の係合爪部１７ｅにより矢印Ｙ２方向に付勢された液晶ディスプレイ９０のフレーム部９３（図５参照）の矢印Ｙ２方向側の面を支持する機能を有する。
【００４２】
また、２つの受け部１７ｈは、液晶ディスプレイ９０のフレーム部９３（図５参照）の矢印Ｘ２方向側の面と当接可能に構成されている。具体的には、一対の受け部１７ｈは、接地部材１５の押圧部１５ｄにより矢印Ｘ２方向に付勢された液晶ディスプレイ９０のフレーム部９３（図５参照）の矢印Ｘ２方向側の面を支持する機能を有する。
【００４３】
ここで、本実施形態では、図８に示すように、液晶ディスプレイ保持部材１７の矢印Ｚ２方向側には、矢印Ｚ２方向（下方向）に向かって突出するように複数の係合フック部１７ｃが設けられている。これら複数（３つ）の係合フック部１７ｃは、配線基板１４の係合孔部１４ｄに係合可能に構成されている。具体的には、係合フック部１７ｃは、それぞれ、二股上に形成された一対の撓み部１７ｌと、一対の撓み部１７ｌの矢印Ｚ２方向側にそれぞれ設けられている先端部１７ｍとを含んでいる。一対の撓み部１７ｌは、矢印Ｚ２方向に延びるように形成されており、それぞれの先端部１７ｍが互いに近接する方向に撓み変形可能に構成されている。また、一対の先端部１７ｍは、それぞれ、平面的に視て撓み部１７ｌよりも大きく構成されているとともに、配線基板１４の係合孔部１４ｄへの挿入時に、先端部１７ｍの大きさが穴径よりも小さくなるように構成されている。つまり、一対の先端部１７ｍは、一対の撓み部１７ｌが互いに近接する方向に撓むことにより、配線基板１４の係合孔部１４ｄに挿入可能に構成されている。これにより、液晶ディスプレイ保持部材１７を配線基板１４に対して装着および固定することが可能となる。
【００４４】
また、本実施形態では、図５に示すように、一対の先端部１７ｍの撓み部１７ｌ側には、それぞれ、ストッパ１７ｎが形成されている。なお、ストッパ１７ｎは、本発明の「移動規制部」の一例である。ストッパ１７ｎは、配線基板１４の平板部分と対向するように構成されており、一対の先端部１７ｍが配線基板１４の係合孔部１４ｄに挿入された後に、係合孔部１４ｄの近傍の配線基板１４の平板部分に当接するように構成されている。つまり、ストッパ１７ｎは、液晶ディスプレイ保持部材１７が配線基板１４に対して装着された後に、液晶ディスプレイ保持部材１７が矢印Ｚ１方向に移動するのを抑制する機能を有する。
【００４５】
また、液晶ディスプレイ保持部材１７は、図８に示すように、矢印Ｚ２方向側に突出する４つの支持脚１７ｏが設けられている。これら支持脚１７ｏは、それぞれ、配線基板１４の平板部分に当接するように構成されている。これにより、液晶ディスプレイ保持部材１７を、安定した状態で、配線基板１４に固定することが可能となる。
【００４６】
本実施形態では、上記のように、液晶ディスプレイ９０が収納されることにより液晶ディスプレイ９０を固定可能に構成されている収納部１７ｂを設けることによって、液晶ディスプレイ９０の取付作業を簡素化することができる。また、液晶ディスプレイ保持部材１７を配線基板１４に固定する係合フック部１７ｃを設けることによって、係合フック部１７ｃを配線基板１４に固定するだけで液晶ディスプレイ保持部材１７を配線基板１４に固定することができるので、液晶ディスプレイ保持部材１７の取付作業を簡素化することができる。また、液晶ディスプレイ保持部材１７に、装置本体１００の導電性部分に電気的に接続されている導電性の接地部材１５を液晶ディスプレイ９０に接触するように設けることによって、液晶ディスプレイ９０において発生する静電気を、接地部材１５を介して装置本体１００の導電性部分に逃がすことができる。
【００４７】
また、本実施形態では、係合フック部１７ｃに、係合孔部１４ｄよりも大きい先端部１７ｍを設けるとともに、係合孔部１４ｄへの挿入時に先端部１７ｍの大きさが小さくなるように撓み変形可能に構成することによって、係合フック部１７ｃの先端部１７ｍが係合孔部１４ｄよりも大きい場合にも、容易に、係合フック部１７ｃを係合孔部１４ｄに挿入することができる。
【００４８】
また、本実施形態では、液晶ディスプレイ保持部材１７の係合フック部１７ｃに、配線基板１４の表面に対して垂直方向に液晶ディスプレイ保持部材１７が移動するのを抑制するストッパ１７ｎを設けることによって、係合フック部１７ｃが係合孔部１４ｄに挿入された後、係合フック部１７ｃが係合孔部１４ｄから外れるのを抑制することができる。
【００４９】
また、本実施形態では、液晶ディスプレイ９０を収納部１７ｂの側面部１７ｄの矢印Ｙ２方向側に向かって付勢するように収納部１７ｂの矢印Ｙ１方向側に設けられ、液晶ディスプレイ９０が液晶ディスプレイ９０の表示面９２に対して垂直な方向に移動するのを抑制する係合爪部１７ｅを設けることによって、液晶ディスプレイ９０を、容易に、収納部１７ｂの側面部１７ｄの矢印Ｙ２方向側に移動するのを抑制することができるとともに、液晶ディスプレイ９０の表示面９２に対して垂直な方向に移動するのを抑制することができる。
【００５０】
また、本実施形態では、収納部１７ｂの矢印Ｙ２方向側に設けられ、液晶ディスプレイ９０が液晶ディスプレイ９０の表示面９２に対して垂直な方向に移動するのを抑制する突出部１７ｆを設けることによって、係合爪部１７ｅおよび突出部１７ｆにより、液晶ディスプレイ９０を、収納部１７ｂの矢印Ｙ２方向側および矢印Ｙ１方向側の両方で、液晶ディスプレイ９０の表示面９２に対して垂直な方向に移動するのを抑制することができるので、液晶ディスプレイ９０が液晶ディスプレイ保持部材１７の収納部１７ｂから外れるのを抑制することができる。
【００５１】
また、本実施形態では、装置本体１００に、印字ヘッド２が配置されている導電性のシャーシ１と、シャーシ１の上部にシャーシ１と電気的に接続するように取り付けられている導電性のカバー部材１１とを設け、接地部材１５を、カバー部材１１を介してシャーシ１に電気的に接続するように構成することによって、液晶ディスプレイ９０において発生する静電気を、接地部材１５およびカバー部材１１を介して、接地部材１５およびカバー部材１１と比べて大きな表面積を有するシャーシ１に逃がすことができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、画像形成装置の一例としての昇華型プリンタに本発明を適用した例を示したが、本発明はこれに限らず、液晶ディスプレイを備えた画像形成装置であれば、昇華型プリンタ以外の他の画像形成装置にも適用可能である。
【００５４】
また、上記実施形態では、係合フック部に一対の撓み部を設けた例を示したが、本発明はこれに限らず、係合フック部に３つ以上の撓み部を設けるようにしてもよい。
【００５５】
また、上記実施形態では、係合フック部を３つ設けた例を示したが本発明はこれに限らず、係合フック部を３つ以上設けるようにしてもよい。
【００５６】
また、上記実施形態では、接地部材とカバー部材とをねじにより電気的に接続した例を示したが、本発明はこれに限らず、接地部材に、たとえば、係合フックなどを設けて、接地部材の係合フックとカバー部材とを接続させて、接地部材とカバー部材とを電気的に接続させるようにしてもよい。
【図面の簡単な説明】
【００５７】
【図１】本発明の一実施形態による昇華型プリンタの全体構成を示した分解斜視図である。
【図２】図１に示した一実施形態による昇華型プリンタの内部構造を示した断面図である。
【図３】図１に示した一実施形態による昇華型プリンタの配線基板周辺を示した斜視図である。
【図４】図１に示した一実施形態による昇華型プリンタの配線基板周辺を示した分解斜視図である。
【図５】図１に示した一実施形態による昇華型プリンタの配線基板周辺を示した断面図である。
【図６】図１に示した一実施形態による昇華型プリンタの液晶ディスプレイ保持部材および接地部材を示した斜視図である。
【図７】図１に示した一実施形態による昇華型プリンタの液晶ディスプレイ保持部材および接地部材を示した平面図である。
【図８】図１に示した一実施形態による昇華型プリンタの液晶ディスプレイ保持部材および接地部材を示した斜視図である。
【符号の説明】
【００５８】
１  シャーシ
２  印字ヘッド
１１  カバー部材
１４  配線基板
１４ｄ  係合孔部（係合孔）
１５  接地部材
１６  制御用ＩＣ（制御部）
１７  液晶ディスプレイ保持部材（表示部保持部材）
１７ｂ  収納部
１７ｃ  係合フック部（係合部）
１７ｄ  側面部（内側面）
１７ｍ  先端部
１７ｎ  ストッパ（移動規制部）
９０  液晶ディスプレイ（表示部）
９２  表示面
１００  装置本体
【図１】
2008265008.tif 000003
【図２】
2008265008.tif 000004
【図３】
2008265008.tif 000005
【図４】
2008265008.tif 000006
【図５】
2008265008.tif 000007
【図６】
2008265008.tif 000008
【図７】
2008265008.tif 000009
【図８】
2008265008.tif 000010